(57)【特許請求の範囲】
【請求項１】
前壁と後壁との間の物品受容空間を定義する前記前壁と前記後壁とを持つブリスター型パッケージユニットであって、前記前壁及び前記後壁は、前記前壁及び前記後壁の周囲領域の少なくとも主要部分に沿って周囲接合部を持ち、前記周囲接合部の内側に、前記周囲接合部の一部に沿って、前記前壁及び前記後壁の少なくとも一方において弱くされた領域が存在し、前記弱くされた領域は、前記物品受容空間にアクセスするため前記前壁と前記後壁とを切り離すようにユーザによって破かれることができるパッケージユニットにおいて、前記弱くされた領域は、前記周囲領域の内側に配置された２つの端部を持ち、前記弱くされた領域は、ユーザが前記前壁及び前記後壁において前記周囲領域から前記弱くされた領域の前記２つの端部を通って切り取りを行った後にユーザによって破かれることができ、前記パッケージユニットの周囲領域の対向する両側に配置された２つの弱くされた領域が存在し、前記両側の間の周囲領域の更なる部分の近くの切り取り線が前記弱くされた領域の両方を横切り、前記パッケージユニットを掛けるための穴状の開口が前記前壁及び前記後壁に存在し、前記穴状の開口は前記切り取り線の一部に沿って延在し、前記切り取り線が前記開口と交差することを特徴とする、パッケージユニット。
【請求項２】
前記切り取り線は前記前壁及び前記後壁の一方に又は前記前壁と前記後壁との間の材料のシート上に示され、前記切り取り線が少なくとも一方の前記弱くされた領域を横切ることを特徴とする、請求項１に記載のパッケージユニット。
【請求項３】
前記切り取り線が前記周囲領域を通過する位置において前記周囲領域に切り欠きが存在することを特徴とする、請求項１に記載のパッケージユニット。
【請求項４】
前記前壁及び前記後壁の一方において、前記開口は前記前壁及び前記後壁の他方におけるよりも大きく、それにより、ユーザが前記穴状の開口を通した前記切り取り線に沿った切り取りを行った後に、ユーザの指による前記前壁と前記後壁との分離が容易化されることを特徴とする、請求項１に記載のパッケージユニット。
【請求項５】
前記前壁及び前記後壁の一方における前記開口の大部分が他方の壁の凹部と重なることを特徴とする、請求項１に記載のパッケージユニット。
【発明の詳細な説明】
【技術分野】
【０００１】
本発明は、前壁と後壁との間の物品受容空間を定義する前記前壁と前記後壁とを持つブリスター型パッケージユニットであって、前記前壁及び前記後壁は、前記前壁及び前記後壁の周囲領域の少なくとも主要部分に沿って周囲接合部を持ち、前記周囲接合部の内側に、前記周囲接合部の一部に沿って、前記前壁及び前記後壁の少なくとも一方において弱くされた領域が存在し、前記弱くされた領域は、前記物品受容空間にアクセスするため前記前壁と前記後壁とを切り離すようにユーザによって破かれることができるパッケージユニットに関する。
【背景技術】
【０００２】
斯かるブリスター型パッケージユニットは、国際特許出願公開WO-A-01/60711に開示されている。該刊行物は、周囲接合部の一部を有するいわゆる裂開（tear-open）ストリップを持つパッケージユニットを記載している。該裂開ストリップは、前壁及び後壁の両方における弱くされた領域によって該パッケージユニットの残りの部分と接続されている。該裂開ストリップは、ユーザが該弱くされた領域を破ることにより、該パッケージユニットから切り離されることができる。続いて、該パッケージユニットは、該パッケージユニットから物品を取り出すため、容易に開けることができる。
【０００３】
壁の材料は、プラスチック及び／又はボール紙、又はその他のいずれかの包装されるべき物品を囲むことができる材料若しくは材料の組み合わせであっても良い。該材料は、該物品の周囲に形成されるように弾性のあるものであっても良いし、又は、一方又は両方の壁が該物品を収容するための窪んだ部分を持っても良い。好適には、パッケージユニットの後壁が、略平坦である。壁の少なくとも一方、好適には前壁は、物品が見えるように透明なプラスチックで作られる。例えばパッケージユニットの開け方を表示するため及び／又は該物品の使用法についての説明を与えるため及び／又は該物品の仕様を示すため、パッケージユニットには物品の他にボール紙又は紙シートが存在しても良い。
【０００４】
周囲接合部は２つの壁の端部の近くでヒートシールにより溶接されても良いし、又はその他のいずれかの方法で周囲領域において壁部が合わせて接着され互いに固定されても良い。更に、２つの壁が１つの素材から作られる場合には、周囲接合部の一部は、該壁の素材を折ったものから成っても良い。
【発明の概要】
【発明が解決しようとする課題】
【０００５】
上述した国際特許出願公開WO-A-01/6071によるブリスター型パッケージユニットは、開けることが容易である。それ故、該パッケージユニットは、該パッケージユニットに存在し得る盗難保護なしで店頭から物品を持って行くために開けられ得る。一方、盗難保護を実現するためには、ブリスター型パッケージユニットはしばしば開け難くされる。パッケージユニット中の物品が購入されユーザにより家に持ち帰られた後に、簡単な方法で該パッケージユニットから物品が取り出されることが好適であるため、このことは不利である。
【０００６】
本発明の目的は、はさみによって容易に開けられ得るが、斯かる道具を利用しないと開けることが困難な、ブリスター型パッケージユニットを提供することにある。
【０００７】
本発明の他の目的は、ブリスター型パッケージユニットであって、該パッケージユニットの前壁と後壁とが、該パッケージユニットを開けるユーザの指により容易に分離され得るブリスター型パッケージユニットを提供することにある。
【課題を解決するための手段】
【０００８】
これらの目的の一方又は両方を達成するため、本発明によるブリスター型パッケージユニットは、前記弱くされた領域は、前記周囲領域の内側に配置された２つの端部を持ち、前記弱くされた領域は、ユーザが前記前壁及び前記後壁において前記周囲領域から前記弱くされた領域の前記２つの端部を通って切り取りを行った後にユーザによって破かれることができることを特徴とする。該弱くされた領域は、該パッケージユニットの、前記前壁及び後壁の両方における、又は前記前壁及び後壁のうちの一方、好適には後壁のみにおける、目打ち（perforation）から成っても良い。該弱くされた領域は該パッケージユニットの周囲領域までには延在しないため、前記周囲領域から該弱くされた領域の前記端部に向けて及び該端部を通って切り取った後にのみ、該弱くされた領域を破くことが可能である。このようにして、該パッケージユニットを開けるためには、はさみのような簡便な道具しか必要とされず、なおかつ、比較的簡単な切り取りが為されると、該パッケージユニットは少なくとも一方の壁の素材を破くことによって開けることができる。
【０００９】
好適な実施例においては、前記パッケージユニットの周囲領域の対向する両側に配置された２つの弱くされた領域が存在し、前記両側の間の周囲領域の更なる部分の近くの切り取り線が前記弱くされた領域の両方を横切る。このようにして、該パッケージユニットが略長方形の形状を持つ場合、はさみによって該長方形の４つの辺のうちの１つに沿って切り取るだけで、該パッケージユニットを該４つの辺のうちの３つにおいて開けるのに十分であり、これにより物品が自由に該パッケージユニットから取り出される。
【００１０】
好適な実施例においては、前記切り取り線は前記前壁及び前記後壁の一方（好適には前記後壁）に又は前記前壁と前記後壁との間の材料のシート上に示され、前記切り取り線が少なくとも一方の前記弱くされた領域を横切る。該パッケージユニットの開け方がユーザに明確となるように、該切り取り線ははさみの絵が書かれた点線により示されても良い。
【００１１】
好適な実施例においては、前記切り取り線が前記周囲領域を通過する位置（即ち前記周囲領域を通って切り取りが為される必要がある位置）において前記周囲領域に切り欠きが存在する。斯かる切り欠きは、はさみによる切り取りを容易化する。好適には、切り取り線の両側に切り欠きが存在する。
【００１２】
好適な実施例においては、例えばディスプレイに該パッケージユニットを掛けるために、前壁及び後壁に穴状の開口が存在する。好適には、該穴状の開口は、切り取り線の一部に沿って延在し、即ち切り取り線が該穴状の開口と交差する。このようにして、該パッケージユニットを開くために為される切り取りの長さが短くされ、該穴状の開口の両側における壁が切断される必要があるだけである。
【００１３】
好適な実施例においては、前記前壁及び前記後壁の一方（好適には前記後壁）において、前記開口は前記前壁及び前記後壁の他方におけるよりも大きく、それにより、ユーザが前記穴状の開口を通した前記切り取り線に沿った切り取りを行った後に、ユーザの指による前記前壁と前記後壁との分離が容易化される。好適には、前記前壁及び前記後壁の一方における前記開口の大部分が他方の壁の凹部と重なり、それにより前記開口を通して前記凹部に指が容易に挿入されることができる。
【００１４】
本発明は、本発明によるブリスター型パッケージユニットの実施例の記載により更に説明され、ここで模式的な図を有する図面に参照が為される。
【図面の簡単な説明】
【００１５】
【図１】パッケージユニットの背面図である。
【図２】図１における線II-IIによる断面図である。
【図３】図１における線III-IIIによる断面図である。
【図４】パッケージユニットを開くための説明を示す。
【発明を実施するための形態】
【００１６】
図１は、ブリスター型パッケージユニットの背面を示す。後壁１は開口３を持ち、該開口３を通して該パッケージユニットの前壁２の一部が見える。後壁１は平坦であり、略長方形の形状を持つ。後壁１及び前壁２の両方の壁はプラスチックからできており、前壁２は透明である。後壁１は、該パッケージユニットの周囲領域においてヒートシール４により前壁２に溶接されており、２つの壁１、２の周囲接合部を形成している。ヒートシール４の位置は、図１において平行線によって影付きにされた領域により示されている。該パッケージユニットの上部には、該パッケージユニットをディスプレイに掛けるための水平方向の穴状の開口５がある。穴状の開口５は、前壁２に存在し、後壁１における開口３の一部に対応している。後壁１における開口３の他の部分は、下方に延在している（図１及び２を参照されたい）。
【００１７】
図２及び３は、平坦な後壁１と前壁２の凹部との間の物品受容空間６を示す、パッケージユニットの断面図である。前壁２の凹部はいずれの形状のを持っても良く、該形状は物品受容空間６における物品の形状に適合されても良い。
【００１８】
後壁１は、周囲領域において、略対向する両側に２つの弱くされた領域７を有する。該弱くされた領域７は、後壁１の材料を通す目打ちの２本の直線状アレイにより生成される。更に、後壁１は、切り取り線、即ち該パッケージユニットを開けるときにはさみによって切り取られるべき線を示す、点線８を備える。切り取り線８の両端における両方の壁１及び２における２つの切り欠き９は、ユーザが該パッケージユニットを開けるときに切り取り作業を容易化する。
【００１９】
ユーザが切り取り線８に沿って切り取った後、該ユーザは後壁１の開口３を通して容易に指を挿入することができる。なぜなら、開口３の背後には、前壁２の凹部があるからである。次いで、ユーザは後壁１の弱くされた領域７を破ることができ、それにより該パッケージユニットは開けられ、入れられた物品が該パッケージユニットから取り出されることができる。
【００２０】
図４は、図１乃至３によるブリスター型パッケージユニットの開け方を示す。これらの説明は、該パッケージユニットを開ける人物のため開ける作業を説明するため、後壁１に表示されても良い。該説明は、はさみによる切り取り線の切り方、及び弱くされた領域を破るための指の挿入のし方を示している。
【００２１】
本発明が図面及び以上の記載において説明されたが、斯かる説明及び記載は説明するもの又は例示的なものであって限定するものではないとみなされるべきであり、本発明は開示された実施例に限定されるものではない。特定の手段が相互に異なる従属請求項に列挙されているという単なる事実は、これら手段の組み合わせが有利に利用されることができないことを示すものではない。請求項におけるいずれの参照記号も、請求の範囲を限定するものとして解釈されるべきではない。
【図１】
0005784493.tif 000002
【図２】
0005784493.tif 000003
【図３】
0005784493.tif 000004
【図４】
0005784493.tif 000005